(57)【特許請求の範囲】
【請求項１】
販売機本体内に設けられた冷却装置と外部との間で吸排気を行うための自動販売機の吸排気口装置であって、
メインドアの下端部に横長の切り欠きが形成され、
鉛直部とその下端から斜め上がりに後方に延びる斜め部とからＬ字状に形成された複数の短い縦材と、複数の長い横材を組むことにより構成された格子材が、前記切り欠きに臨むように、前記メインドアに内側から取り付けられていることを特徴とする自動販売機の吸排気口装置。
【請求項２】
前記格子材の斜め部に横長帯状の板が取り付けられていることを特徴とする、請求項１記載の自動販売機の吸排気口装置。
【発明の詳細な説明】
【０００１】
【発明の属する技術分野】
本発明は、販売機本体内に設けられた冷却装置と外部との間で吸気または排気を行うための自動販売機の吸排気口装置に関するものである。
【０００２】
【従来の技術】
従来、このような吸排気口装置は一般に、図６に示すように、自動販売機の正面下端部に設けられた吸排気板５１で構成されている。この吸排気板５１は、断面コ字状の横長の細長い鉄板などによって、メインドア５２とは別体で構成され、メインドア５２の下側に取り付けられている。吸排気板５１の前面には、多数の縦長のスリット５３が吸排気孔として形成されている。また、メインドア５２とのデザイン上の統一を図るために、吸排気板５１にはメインドア５２と同一色の塗装が施されている。一方、メインドア５２により開閉される販売機本体（図示せず）内には、吸排気板５１の後方に、商品を冷却するための冷却装置（図示せず）が配置されており、吸排気板５１のスリット５３を介して、冷却装置と外部の間で吸気または排気が行われるようになっている。なお、吸排気板５１によって吸気および排気のいずれを行うかは、自動販売機の機種などに応じて定まる。
【０００３】
また、メインドア５２には、吸排気板５１のすぐ上側に、商品販売口５４、販売口扉５５および販売口ボックス５６などから成る販売口装置５７が設けられている（図７参照）。そして、販売機本体の商品収納コラム（図示せず）から払い出された商品Ａが、払出し扉５８を押し開いて販売口ボックス５６に落とし込まれ、購買者が販売口扉５５を開いて商品Ａを取り出すことにより、販売が行われる。
【０００４】
【発明が解決しようとする課題】
しかし、従来の吸排気板５１は、メインドア５２とは別個の薄い鉄板などで構成されるとともに、自動販売機の正面下端部に設けられているため、購買者の足が当たることにより損傷しやすく、その場合には交換を余儀なくされる。この場合、吸排気板５１は、上述したように、デザイン上の統一のためにメインドア５２と同一色にする必要がある一方で、メインドア５２の色はメーカーや機種などによって様々である。このため、従来は、メーカーや機種などに応じた多種類の交換用の吸排気板５１を、在庫として用意しておかなければならず、このことが維持コストを増大させる一因になっている。また、メインドア５２は、使用が進むにつれて、ある程度退色するため、交換した新しい吸排気板５１と色がぴったり合わず、違和感が生じてしまう。
【０００５】
また、最近の自動販売機の高収納化に伴い、商品収納コラムは下側に延びる傾向にあり、それに伴って、商品販売口５４などを含む販売口装置５７全体が、下側に下がる傾向にある。その結果、販売口ボックス５６の下端からメインドア５２の下端までの間隔Ｈ１（図７参照）が狭められ、この部分に取り付けられる吸排気板５１の幅も小さくせざるを得ないため、吸排気板５１にスリット５３を形成する方法では所要の吸排気孔面積を確保することが困難な状況になっている。
【０００６】
本発明は、このような課題を解決するためになされたものであり、メーカーや機種などにかかわらず、かつ高収納タイプの自動販売機にも、共通に用いることができる汎用性の高い自動販売機の吸排気口装置を提供することを目的としている。
【０００７】
【課題を解決するための手段】
この目的を達成するため、本発明は、販売機本体内に設けられた冷却装置と外部との間で吸排気を行うための自動販売機の吸排気口装置であって、メインドアの下端部に横長の切り欠きが形成され、鉛直部とその下端から斜め上がりに後方に延びる斜め部とからＬ字状に形成された複数の短い縦材と、複数の長い横材を組むことにより構成された格子材が、前記切り欠きに臨むように、前記メインドアに内側から取り付けられていることを特徴としている。
【０００８】
この構成によれば、メインドアの下端部に形成した切り欠きおよびこれに臨む格子材の線材間の隙間を介して、冷却装置と外部の間で吸気または排気が行われる。この場合、格子材を構成する線材間に比較的大きな隙間、すなわち大きな吸排気孔面積を確保できるので、販売口装置などがより下側に配置される高収納タイプの自動販売機にも、吸排気孔面積の不足を招くことなく、問題なく適用できる。また、格子材が複数の線材を組んで構成されているので、この線材を無塗装の鉄棒材などで構成するか、あるいは黒色や銀色などの比較的目立たない色で塗装することによって、どのような色のメインドアともデザイン上の調和を図ることができる。その結果、メーカーや機種などにかかわらず、どの自動販売機にも共通に用いることができる。また、格子材がメインドアに内側から設けられるので、購買者の足が当たりにくくなり、格子材の交換の頻度も少なくなる。
【０００９】
この場合、格子材の斜め部に横長帯状の板が取り付けられていることが好ましい。
【００１０】
この構成によれば、横長帯状の板が格子材を補強することによって、格子材が破損または変形しにくくなり、その交換の頻度がより少なくなるとともに、格子材の背後にある部品を、板で覆い隠すことができる。
【００１１】
【発明の実施の形態】
以下、図面を参照しながら、本発明の実施形態を、自動販売機の吸気口装置に適用した場合を例にとり、詳細に説明する。この自動販売機１は、缶飲料やびん飲料を冷却または加温して販売するためのものであり、図２および図３に示すように、販売機本体２と、販売機本体２の前面を開閉するメインドア３とを備えている。
【００１２】
販売機本体２内には、商品を収納する高収納タイプの商品収納コラム（図示せず）が設けられるとともに、商品収納コラムの下側には、商品を冷却および加温するための冷却装置および加温装置（いずれも図示せず）が設けられている。
【００１３】
一方、メインドア３の表側には、その中央部から上部にかけて、商品ディスプレイ３ａ、商品選択ボタン３ｂ、紙幣投入口３ｃ、コイン投入口３ｄや、デジタル表示器３ｅなどが設けられ、その下側に商品販売口４が設けられている。
【００１４】
メインドア３の商品販売口４の下側にはさらに、前記冷却装置に外部から空気を供給するための吸気口装置５が設けられている。この吸気口装置５は、メインドア３の下端部に横長に形成された切り欠き６に臨むように取り付けられた格子材７と、この格子材７に固定された帯板（板）８とによって構成されている。
【００１５】
格子材７は、図１および図４に示すように、鉄製などの線材から成る１１本の短い縦材９および４本の長い横材１０を格子状に組むことにより、構成されている。各縦材９は、中央の縦材９ｄを除き、図４（ｃ）に示すように、前鉛直部９ａと、その下端から斜め上がりに後方に延びる斜め部９ｂとから、Ｌ字状に形成されている。また、中央の縦材９ｄは特に、同図（ａ）に示すように、正面から見て二股に分かれた左右一対の線材で構成され、各線材は、同図（ｂ）に示すように、前鉛直部９ａと、他の縦材９の斜め部９ｂよりも長い斜め部９ｂと、その後端から上方に延びる後鉛直部９ｃとから、変形Ｕ字状に形成されている。そして、各縦材９の前鉛直部９ａの前面に横材１０がスポット溶接されることにより、格子材７が形成されている。その後、格子材７には、例えば、黒色や銀色などの比較的目立たない色で、めっき塗装が施される。
【００１６】
帯板８は、鉄板などで構成されており、各縦材９の斜め部９ｂに載せられるとともに、スポット溶接によって、格子材７に固定されている。このように一体化された格子材７および帯板８は、図１および図５に示すように、中央の縦材９ｄを除く各縦材９の上端部をメインドア３のドアチャンネル１１に形成した孔１１ａに差し込むとともに、中央の縦材９ｄおよび格子材７の両端部に通したねじ１２でドアチャンネル１１に内側から固定することによって、切り欠き６に臨むように取り付けられている。
【００１７】
また、図５に示すように、メインドア３には、商品販売口４を開閉する販売口扉１３と、販売口扉１３の下側に配置された販売口ボックス１４が設けられていて、これらによって販売口装置１５が構成されるとともに、販売口扉１３の後ろ側に対向して払出し扉１６が設けられている。なお、図５と図７の比較から明らかなように、販売口装置１５は、商品収納コラムが高収納タイプで下側に延びていることに伴い、全体として下側に下がった位置に配置されており、このため、販売口ボックス１４の下端からメインドア３の下端までの間隔Ｈが、図７の間隔Ｈ１よりも小さいＨ＜Ｈ１の関係になっている。販売時、商品Ａは、販売機本体２の商品収納コラムから払い出され、払出し扉１６を押し開いて販売口ボックス１４に落とし込まれ、購買者が販売口扉１３を開いて商品Ａを取り出すことにより、商品Ａの販売が行われる。
【００１８】
上記構成の吸気口装置５では、メインドア３の下端部に形成した切り欠き６およびこれに臨む格子材７の隙間を介して、空気が外部から販売機本体２内の冷却装置に供給される。この場合、格子材７を構成する縦材９および横材１０相互間に比較的大きな隙間、すなわち大きな吸気孔面積を確保できるので、本実施形態のような、販売口装置１５がより下側に配置され、メインドア３の下端までの間隔Ｈが小さな高収納タイプの自動販売機１にも、吸気孔面積の不足を招くことなく、問題なく適用することができる。また、格子材７が、複数の縦材９および横材１０を組んで構成されるとともに、黒色や銀色などの比較的目立たない色で塗装されているので、どのような色のメインドア３ともデザイン上の調和を得ることができる。その結果、メーカーや機種などにかかわらず、どの自動販売機１にも共通に用いることができ、それにより、維持コストを削減することができる。
【００１９】
また、格子材７がメインドア３に内側から設けられるので、購買者の足が当たりにくくなり、格子材７の交換の頻度を少なくすることができる。さらに、格子材７に取り付けた横長の帯板８によって、格子材７を補強でき、それにより、格子材７の破損や変形を抑制して、その交換の頻度をより少なくするとともに、格子材７の背後にある部品を帯板８で覆い隠し、購買者から見えないようにすることができる。
【００２０】
なお、以上の実施形態は自動販売機の吸気口装置の例であるが、自動販売機の機種などに応じて、本発明を排気口装置としてそのまま適用できることはもちろんである。また、実施形態では、切り欠きを横方向に連続的に延びる１つの切り欠きで構成しているが、複数の切り欠きを横方向に並設し、全体として横長に構成するようにしてもよい。さらに、実施形態では、格子材を黒色や銀色などの目立たない色で塗装しているが、この塗装を省略し、格子材を構成する鉄棒材などの素材の色によって、メインドアとのデザイン上の調和を図るようにしてもよい。その他、格子材の具体的な構成、例えば、縦材や横材の数や配置などが、例示したものに限らないことはいうまでもなく、さらには線材を斜めに配置してもよいなど、本発明の趣旨の範囲内で、細部の構成を適宜、変更することができる。
【００２１】
【発明の効果】
以上説明したように、本発明の自動販売機の吸排気口装置によれば、メーカーや機種などにかかわらず、かつ高収納タイプの自動販売機にも、共通に用いることができるなどの効果を有している。
【図面の簡単な説明】
【図１】  本発明の一実施形態による吸気口装置を設けた自動販売機の部分拡大正面図である。
【図２】  図１の自動販売機の全体を示す正面図である。
【図３】  図１の自動販売機の全体を示す斜視図である。
【図４】  吸気口装置の正面図およびその構成部材の斜視図である。
【図５】  メインドアの下部の側面図である。
【図６】  従来の自動販売機の正面図である。
【図７】  従来のメインドアの下部の側面図である。
【符号の説明】
１    自動販売機
２    販売機本体
３    メインドア
６    切り欠き
７    格子材
８    帯板
９    縦材
１０  横材
【図１】
0003866314.tif 000002
【図２】
0003866314.tif 000003
【図３】
0003866314.tif 000004
【図４】
0003866314.tif 000005
【図５】
0003866314.tif 000006
【図６】
0003866314.tif 000007
【図７】
0003866314.tif 000008